(57)【要約】【課題】水処理系から発生する汚泥量を可溶化処理により減少させるとともに、廃水からリンを効率的に除去する処理方法において、生物反応槽へ返流する固形分又は流入廃水のリン分をあらかじめ低減させることにより、脱リン効率を向上させることができる有機性廃水の処理方法を提供すること。【解決手段】リンを含む有機性廃水を活性汚泥微生物を用いて生物学的に処理する有機性廃水の処理方法において、廃水処理施設で発生した余剰汚泥Ｄに対しｐＨが４以下となるように酸を添加するとともに、物理化学的処理を行うことにより活性汚泥微生物中からリンを溶液中に放出させた後、固液分離を行い、固形分Ｆは生物反応槽１に返流し、上澄水Ｇは流入廃水と混合するとともに、ｐＨが５〜１０となるようにアルカリ剤Ｈを添加することにより、該混合液中のリン成分を析出させて固形物Ｊとして系外に取り出し、その後、該混合液Ｉを生物反応槽１に返流するようにする。【選択図】図３
2006142256.tif 000002
【特許請求の範囲】
【請求項１】
リンを含む有機性廃水を活性汚泥微生物を用いて生物学的に処理する有機性廃水の処理方法において、廃水処理施設で発生した余剰汚泥に対しｐＨが４以下となるように酸を添加するとともに、物理化学的処理を行うことにより活性汚泥微生物中からリンを溶液中に放出させた後、固液分離を行い、固形分は生物反応槽に返流し、上澄水は流入廃水と混合するとともに、ｐＨが５〜１０となるようにアルカリ剤を添加することにより、該混合液中のリン成分を析出させて固形物として系外に取り出し、その後、該混合液を生物反応槽に返流するようにすることを特徴とする有機性廃水の処理方法。
【請求項２】
リンを含む有機性廃水を活性汚泥微生物を用いて生物学的に処理する有機性廃水の処理方法において、廃水処理施設で発生した余剰汚泥に対しｐＨが４以下となるように酸を添加するとともに、物理化学的処理を行うことにより活性汚泥微生物中からリンを溶液中に放出させた後、この処理汚泥と流入廃水を混合し、その後に固液分離を行い、得られた固形分は生物反応槽に返流して活性汚泥微生物に分解・処理させ、上澄水にはｐＨが５〜１０となるようにアルカリ剤を添加し、該上澄水中のリン成分を析出させて固形物として系外に取り出し、その後、該上澄水を生物反応槽に返流するようにすることを特徴とする有機性廃水の処理方法。
【請求項３】
ｐＨが２以下となるように酸を添加するとともに、ｐＨが約７となるようにアルカリ剤を添加することを特徴とする請求項１又は２記載の有機性廃水の処理方法。
【請求項４】
アルカリ剤とともに凝集剤を添加することを特徴とする請求項１、２又は３記載の有機性廃水の処理方法。
【請求項５】
前記物理化学的処理として、余剰汚泥を３０〜３００℃に加熱することを特徴とする請求項１、２、３又は４記載の有機性廃水の処理方法。
【請求項６】
前記物理化学的処理として、余剰汚泥に対し次亜塩素酸あるいは次亜塩素酸塩を添加することを特徴とする請求項１、２、３又は４記載の有機性廃水の処理方法。
【請求項７】
余剰汚泥に塩化ナトリウム等の塩化物塩を添加し、電気分解を行うことにより、次亜塩素酸あるいは次亜塩素酸イオンを生成させることを特徴とする請求項６記載の有機性廃水の処理方法。
【請求項８】
前記物理化学的処理として、オゾンや過酸化水素等の酸化剤の添加、超音波による破砕、キャビテーションによる破砕又はマイクロ波照射による破砕の少なくとも１つの処理を施すことを特徴とする請求項１、２、３又は４記載の有機性廃水の処理方法。
【発明の詳細な説明】
【技術分野】
【０００１】
本発明は、有機性廃水の処理方法に関し、特に、リンが多量に含まれる有機性廃水を生物学的に処理し、かつ発生した微生物汚泥を可溶化処理し、再び水処理系で微生物に分解させる有機性廃水の処理方法に関するものである。
【背景技術】
【０００２】
現在、有機性廃水に含まれる有機物の除去方法として、活性汚泥と呼ばれる微生物群によって生物学的に処理する方法が多く取り入られている。この方法では、活性汚泥微生物が有機物などの汚濁物を自身の代謝に利用することで、無機化あるいは溶液から除去することができる。
しかし、活性汚泥微生物の代謝能力以上の汚濁物が含まれている場合や、除去率をさらに高めたい場合は、一般的な活性汚泥微生物による処理を上回るような処理方法を採用する必要がある。
【０００３】
汚濁物のうち、リン成分に関しては無機あるいは高分子凝集剤を添加して除去する物理化学的方法や、リンを特異的に体内に蓄積する微生物を利用する生物学的処理などがある。
凝集剤を添加する方法では、廃水中のリン酸と無機凝集剤に含まれる金属イオンが結合し、不溶性の凝集沈殿物を形成することで、溶液から除去することができる。あるいは、高分子凝集剤を利用した場合には、廃水中の懸濁態のリン成分がフロックとなって固液分離されたり、溶解性であっても他成分主体のフロックが形成される際にフロックに取り込まれるなどして、溶液から除去することができる。
一方、生物学的処理では、ポリリン酸蓄積細菌と呼ばれる微生物を利用するが、この微生物は体内に多量のポリリン酸塩を蓄積することができることから、通常の活性汚泥微生物群を利用した場合より、多くのリンを除去することができる。すなわち、通常の活性汚泥に含まれるリンの量は、１．５〜２％（乾燥重量あたり）であるが、ポリリン酸蓄積細菌が十分に活動してい活性汚泥では３〜５％（乾燥重量あたり）になる。
このように、廃水中のリンは、凝集汚泥あるいは活性汚泥といった固形物に取り込ませることで、溶液から除去することができる。言い換えれば、リンは窒素や炭素のように無機のガス態が存在しないため（窒素は窒素ガス、炭素は二酸化炭素など）、固形物としてしか溶液から除去することができない。
【０００４】
ところで、水処理によって発生した汚泥は、後段において適切に処理・処分される必要があるが、最終的に処分をするための埋立用地が逼迫しているという問題や、処理・処分コストが高く、廃水処理施設の運転コストが高騰するという問題もある。実際、これら汚泥処理に係る運転コストは、廃水処理施設における全体の運転コストの半分近くに達している所もある。
前述の廃水からリンを除去する方法についても、固形物すなわち汚泥としてしか除去できないため、処理する廃水中のリン濃度が高い場合にはそれだけ発生する汚泥量が増えることになり、上記問題がさらに大きなものとなる。
【０００５】
近年、これら汚泥処理に係わる問題を受け、発生した余剰汚泥を可溶化処理、すなわち活性汚泥微生物を殺菌するとともに液化させ、再び水処理系に戻して活性汚泥微生物に分解させることで、施設全体としての発生汚泥量を削減する技術が開発され、実用化されつつある。
可溶化の方法として、オゾンを添加し、その強力な酸化力を利用する方法（特許文献１参照）や好熱性菌を利用する方法（特許文献２参照）などがある。しかし、これらの方法では水処理系において、ポリリン酸蓄積細菌をはじめとする活性汚泥微生物に取り込まれたリンも、可溶化処理後に処理汚泥とともに再び水処理系に戻されるため、原理的に廃水中からリンを除去することはできず、処理水として流出する。
【０００６】
そこで、本件発明者らは、水処理系で発生した余剰汚泥に対して、可溶化処理を施すと同時にリンも除去・回収できる技術を発明した（特許文献３〜６参照、以下、酸可溶化法という）。
この処理方法は、水処理系で発生した余剰汚泥に対して、ｐＨが５以下（好ましくは２以下）となるように酸を添加し、物理化学的処理を行うものであり、これにより、余剰汚泥中の微生物を殺菌できるとともに、微生物中に取り込まれているリンを溶液側に溶出させることができる。
次いで、処理汚泥を固液分離することによって、リンを豊富に含む上澄水と、リンを放出した後の固形物に分離するが、この固形物は、活性汚泥微生物によって分解・処理できる形態に処理されているため、水処理系に戻して処理する。
一方、リンが豊富に含まれている上澄水に関しては、当該溶液にアルカリを添加し、ｐＨを３以上とすることでリンが無機成分主体のリン汚泥として析出するため、当該溶液からリンを分離・除去することが可能となる。したがって、この酸可溶化法を用いた処理では、水処理系へのリン負荷をできるだけ低くしながら、汚泥発生量を削減することができる。
【０００７】
しかしながら、酸可溶化法によって除去できるリンは、余剰汚泥として水処理系から排出され、可溶化処理系においてリン汚泥として析出するものにとどまる。したがって、汚泥の発生量を減らしつつ、かつ廃水そのものからリンを積極的に除去するためには、水処理系においてより多くのリンを固形物として分離し、余剰汚泥として系外に引き抜き、可溶化処理する必要がある。特に、廃水中のリン濃度が高い場合は、水処理系において多量の固形物を発生させることになる。
このように、廃水中のリン濃度が高い場合は、リンを除去するために水処理系で多量に発生させた余剰汚泥を可溶化処理しなければならず、汚泥処理・処分費を抑えるための可溶化処理が、逆に処理費用を押し上げる結果になり、非常に効率の悪いものとなりかねない。
【特許文献１】特許３３９７０９６号公報
【特許文献２】特許３０４８８８９号公報
【特許文献３】特開２００２−３６１２７８号公報
【特許文献４】特開２００３−００１３００号公報
【特許文献５】特開２００３−２１１１７８号公報
【特許文献６】特開２００３−１９０９９９号公報
【発明の開示】
【発明が解決しようとする課題】
【０００８】
本発明は、上記従来の有機性廃水の処理方法が有する問題点に鑑み、水処理系から発生する汚泥量を可溶化処理により減少させるとともに、廃水からリンを効率的に除去する処理方法において、生物反応槽へ返流する固形分又は流入廃水のリン分をあらかじめ低減させることにより、脱リン効率を向上させることができる有機性廃水の処理方法を提供することを目的とする。
【課題を解決するための手段】
【０００９】
上記目的を達成するため、本第１発明の有機性廃水の処理方法は、リンを含む有機性廃水を活性汚泥微生物を用いて生物学的に処理する有機性廃水の処理方法において、廃水処理施設で発生した余剰汚泥に対しｐＨが４以下となるように酸を添加するとともに、物理化学的処理を行うことにより活性汚泥微生物中からリンを溶液中に放出させた後、固液分離を行い、固形分は生物反応槽に返流し、上澄水は流入廃水と混合するとともに、ｐＨが５〜１０となるようにアルカリ剤を添加することにより、該混合液中のリン成分を析出させて固形物として系外に取り出し、その後、該混合液を生物反応槽に返流するようにすることを特徴とする。
【００１０】
また、同じ目的を達成するため、本第２発明の有機性廃水の処理方法は、リンを含む有機性廃水を活性汚泥微生物を用いて生物学的に処理する有機性廃水の処理方法において、廃水処理施設で発生した余剰汚泥に対しｐＨが４以下となるように酸を添加するとともに、物理化学的処理を行うことにより活性汚泥微生物中からリンを溶液中に放出させた後、この処理汚泥と流入廃水を混合し、その後に固液分離を行い、得られた固形分は生物反応槽に返流して活性汚泥微生物に分解・処理させ、上澄水にはｐＨが５〜１０となるようにアルカリ剤を添加し、該上澄水中のリン成分を析出させて固形物として系外に取り出し、その後、該上澄水を生物反応槽に返流するようにすることを特徴とする。
【００１１】
この場合において、ｐＨが２以下となるように酸を添加するとともに、ｐＨが約７となるようにアルカリ剤を添加することができる。
【００１２】
また、アルカリ剤とともに凝集剤を添加することができる。
【００１３】
また、前記物理化学的処理として、余剰汚泥を３０〜３００℃に加熱することができる。
【００１４】
また、前記物理化学的処理として、余剰汚泥に対し次亜塩素酸あるいは次亜塩素酸塩を添加することができる。
【００１５】
この場合、余剰汚泥に塩化ナトリウム等の塩化物塩を添加し、電気分解を行うことにより、次亜塩素酸あるいは次亜塩素酸イオンを生成させることができる。
【００１６】
また、前記物理化学的処理として、オゾンや過酸化水素等の酸化剤の添加、超音波による破砕、キャビテーションによる破砕又はマイクロ波照射による破砕の少なくとも１つの処理を施すことができる。
【発明の効果】
【００１７】
本第１、第２発明の有機性廃水の処理方法によれば、水処理系で発生した余剰汚泥に対し、酸可溶化法を施すことで得られる処理汚泥あるいは当該汚泥の上澄水を流入水と混合させ、アルカリ剤を添加することで無機成分主体のリン汚泥を生成させ、後段で固液分離することによって廃水からリンを取り除くことから、生物反応槽へ返流する固形分や流入廃水のリン分をあらかじめ低減させることができ、脱リン効率を向上させることができる。
廃水中のリンのうち一部を除いた分に関しては、活性汚泥微生物に取り込ませたり、凝集剤添加による凝集汚泥を生成させることなく、直接除去することが可能となり、従来であればリンを除去するために必然的に余剰汚泥の量が増加していたが、本発明では廃水から直接除去できるため、必要以上に増加することはない。
また、余剰汚泥を酸可溶化処理することにより、処理汚泥を水処理系に保持させた活性汚泥微生物によって分解させることができ、さらに発生汚泥量を減らすことができる。
このように、本発明では、廃水処理施設全体としての汚泥発生量が少なく、かつ効率良くリンを除去することが可能となり、特に廃水中のリン濃度が高い場合により有効である。
【００１８】
この場合、ｐＨが２以下となるように酸を添加するとともに、ｐＨが約７となるようにアルカリ剤を添加することにより、可溶化とリンの析出を効果的に行うことができる。
【００１９】
また、アルカリ剤とともに凝集剤を添加することにより、より効果的にリンの析出を行うことができる。
【００２０】
また、前記物理化学的処理として、余剰汚泥を３０〜３００℃に加熱することにより、汚泥微生物の可溶化を促進することができる。
【００２１】
また、前記物理化学的処理として、余剰汚泥に対し次亜塩素酸あるいは次亜塩素酸塩を添加することにより、汚泥微生物の可溶化を促進することができる。
【００２２】
この場合、余剰汚泥に塩化ナトリウム等の塩化物塩を添加し、電気分解を行うことにより、次亜塩素酸あるいは次亜塩素酸イオンを生成させることにより、汚泥微生物の可溶化をさらに促進することができる。
【００２３】
また、前記物理化学的処理として、オゾンや過酸化水素等の酸化剤の添加、超音波による破砕、キャビテーションによる破砕又はマイクロ波照射による破砕の少なくとも１つの処理を施すことにより、汚泥微生物の可溶化を促進することができる。
【発明を実施するための最良の形態】
【００２４】
以下、本発明の有機性廃水の処理方法の実施の形態を、図面に基づいて説明する。
【００２５】
本発明の有機性廃水の処理方法では、水処理系で発生した余剰汚泥に対し、酸可溶化法を施すことで得られる処理汚泥あるいは当該汚泥の上澄水を流入水と混合させ、アルカリ剤を添加することで無機成分主体のリン汚泥を生成させ、後段で固液分離することによって廃水からリンを取り除く。
本件発明者らによる酸可溶化法では、水処理系において発生した余剰汚泥に対して、ｐＨが５以下（好ましくは２以下）となるように酸を添加するとともに、物理化学的処理を行うが、これにより余剰汚泥中の微生物の細胞膜あるいは細胞壁が損傷あるいは破壊され、活性を失う。細胞膜あるいは細胞壁が損傷・破壊されることで、微生物体内に保持されている細胞質が溶液側に放出されるが、これらの物質は微生物が代謝可能な有機物である。したがって、酸可溶化処理を施した汚泥は、水処理系に返流し、保持された活性汚泥によって生物分解させることが可能である。
【００２６】
酸可溶化法は、微生物を不活化させることが可能であるが、これと同時に微生物に含まれるリンを溶液側に放出させる効果も併せ持つ。すなわち、前述のように細胞質を放出させたり、細胞壁や細胞膜に含まれる固形性のリン成分を溶液へと溶出させたりする。酸可溶化法によって処理された汚泥、あるいは当該汚泥を固液分離することによって得られる上澄水のｐＨは５以下（好ましくは２以下）となっているが、これにアルカリ剤をｐＨが３以上になるように添加すると、溶液側に存在しているリン成分が固形物として析出し、後段で固液分離することが可能である。なお、沈殿物は無機主体であるが、析出の際に他の浮遊物質を取り込むことから若干の有機物を含有する。
【００２７】
また、この際に、酸可溶化処理によって得られる上澄水に含まれるもの以外の溶解性リン成分を添加しても、アルカリ剤を添加することによって同時に析出−分離することが可能である。
したがって、特に、リン濃度が高い廃水を処理する場合、酸可溶化処理を行った汚泥と当該廃水を混合し、固液分離を行うことで得られる上澄水にアルカリ剤を添加することで、酸可溶化処理によって放出あるいは溶出されたリンばかりでなく、もともと廃水中に含まれていたリンをも除去することができる。すなわち、廃水中のリンをいったん活性汚泥微生物に取り込ませることなく、直接除去することが可能である。
以上より、本発明による有機性廃水の処理方法では、上記酸可溶化法の特性を利用し、以下の方法で流入廃水に含まれるリンを除去する。
【００２８】
すなわち、リンを含む有機性廃水を活性汚泥微生物を用いて生物学的に処理する廃水処理施設において、発生した余剰汚泥に対しｐＨが４以下（好ましくは２以下）となるように酸を添加するとともに、物理化学的処理を行うことで活性汚泥微生物中からリンを溶液に放出せしめた後に固液分離を行い、固形分は生物反応槽に返流し、上澄水に関しては流入廃水と混合するともに、ｐＨが５〜１０（好ましくは７）となるようにアルカリ剤を添加することで、当該混合液中のリン成分を析出・分離することによって、廃水中のリンを除去することができる。
あるいは、リンを含む有機性廃水を活性汚泥微生物を用いて生物学的に処理する廃水処理施設において、発生した余剰汚泥に対しｐＨが４以下（好ましくは２以下）となるように酸を添加するとともに、物理化学的処理を行うことで活性汚泥微生物中からリンを溶液に放出せしめた後、処理汚泥と流入廃水を混合し、その後に固液分離を行い、得られた固形分は生物反応槽に返流して活性汚泥微生物に分解・処理させ、上澄水にはｐＨが５〜１０（好ましくは７）となるようにアルカリ剤を添加することで、当該混合液中のリン成分を析出させ、固形物として系外に取り出すことによって、廃水中のリンを除去することができる。
【００２９】
なお、本発明においてはアルカリ剤を添加し、ｐＨを５〜１０、好ましくは７程度にすることによってリンを析出・分離しているが、同時に凝集剤を添加することによってリンの析出・分離を促進することができる。
また、物理化学的処理として、余剰汚泥を３０〜３００℃、好ましくは６０〜１００℃に加熱することができる。
【００３０】
あるいは、余剰汚泥に対し、次亜塩素酸あるいは次亜塩素酸塩を添加することで、次亜塩素酸あるいは次亜塩素酸イオンによる殺菌力を利用することができる。また、次亜塩素酸あるいは次亜塩素酸イオンを発生させるのは、余剰汚泥に塩化ナトリウムなどの塩化物塩を添加し、電気分解を行うことで達することが可能である。
また、その他の物理化学的処理として、オゾンや過酸化水素などの酸化剤を利用する化学的処理、あるいは超音波破砕、キャビテーションもしくはマイクロ波照射などの物理的処理を行うことも可能である。
【実施例１】
【００３１】
酸可溶化法における物理化学的処理の一例として、加熱処理を行った場合の微生物からのリンの放出、およびリン汚泥の析出・回収について実験を行った結果を示す。
例えば、余剰汚泥に対して、添加する硫酸の量を変えることで処理時のｐＨを変化させ、８０℃で１時間処理をした場合のリン放出率を図１に示す。図に示すように、ｐＨが低くなるほど微生物中からのリンの放出率は高くなり、特に、ｐＨ２以下では５０％以上の放出率となった。
【００３２】
次に、放出されたリンに関して、溶液にアルカリ剤を添加することでｐＨを上昇させ、析出させる実験を行った結果を図２に示す。図に示すように、ｐＨが４以上になると回収率は急激に増加し、ｐＨが７で最大の８０％程度となる。しかし、それ以上にｐＨを上げ続けると回収率は徐々に低下し、ｐＨ１０を超えると７０％以下となる。
なお、酸可溶化処理した汚泥の上澄水に対して、リン濃度が倍になるようにリン酸溶液を添加し、ｐＨが７程度になるようにアルカリ剤を添加した場合でも、回収率は同様に８０％程度となった。
【００３３】
本実施例では、添加する酸として硫酸を例示したが、それ以外の塩酸や硝酸等においても同様の結果が得られた。
また、物理化学的処理として、次亜塩素酸あるいは次亜塩素酸イオンが発生するような方法を採用した場合では、ｐＨを５以下とした時に、微生物からのリンの放出率が高くなるのが確認された。
【実施例２】
【００３４】
図３に、最初沈殿池を有しない廃水処理施設、すなわち処理対象廃水中の固形物量が少ない場合の処理フローを示す。
処理施設に流入した、リンを多く含む廃水Ａに含まれる汚濁物は、生物反応槽１に一定時間滞留するが、この間、当該生物反応槽１に保持された活性汚泥微生物によって分解・除去され、混合液Ｂとして後段の最終沈殿池２に流出する。最終沈殿池２においては固液分離が図られ、上澄みは処理水Ｃとして系外に排出され、固形物は余剰汚泥Ｄとして後段の可溶化槽３に送られる。
【００３５】
余剰汚泥Ｄは可溶化槽３において酸可溶化処理を受けるが、本実施例では酸添加と組み合わせる物理化学的処理として、加熱処理を行った場合を例示する。加熱処理を組み合わせた酸可溶化処理では、余剰汚泥Ｄ中の微生物の殺菌が行われるとともに、微生物体内に含まれるリンが溶液側に溶出するが、それ以外にも、処理汚泥の固液分離性が著しく改善されるという効果もある。
そこで、可溶化処理槽３から流出した処理汚泥Ｅは、固液分離槽４において固液分離が図られ、固形分は可溶化汚泥Ｆとして生物反応槽１に返流され、保持された活性汚泥微生物によって分解される。
一方、固液分離槽４において得られる上澄水Ｇには、高濃度の溶解性リンが含まれており、同様に高濃度のリンを含む流入水Ａとともにリン沈殿槽５に送られる。リン沈殿槽５では、アルカリ剤Ｈを添加することによりｐＨが７程度に調整されるが、この間に上澄水Ｇ中の溶解性リンは固形物として析出し、沈殿分離することが可能となる。
【００３６】
したがって、リン沈殿槽５から流出する脱リン廃水Ｉ中に含まれるリン濃度を低くすることができ、生物反応槽１に及ぼす負荷、すなわち当該槽において除去すべきリンの量を減らす、すなわち水処理系においてリンを除去するために必然的に発生する余剰汚泥を減らすことができる。
また、リン沈殿槽５で得られる固形物は、リン汚泥Ｊとして系外に排出されるが、その発生量は酸可溶化処理を行った余剰汚泥量よりも少なく、全体として汚泥発生量を少なくすることが可能である。
【００３７】
なお、流入廃水中の固形物濃度が高い場合には、図４に示すように、廃水Ａはまず最初沈殿池６に流入し、固液分離される。
得られた上澄みは、最初沈殿池流出水Ｋとしてリン沈殿槽５に導かれ、リン成分が除去された後に、脱リン廃水Ｉとして生物反応槽１に送られる。
最初沈殿池６において得られる固形分である最初沈殿池汚泥Ｌは、通常系外に排出されるが、酸可溶化処理によって分解可能な成分が多い場合には、可溶化槽３に送り、酸可溶化処理を施すことが可能である。
【実施例３】
【００３８】
次に、物理化学的処理として、次亜塩素酸を発生させる手法を組み合わせた場合の実施例を図５に示す。
実施例１と同様に、廃水Ａ中の汚濁物は生物反応槽１内において処理され、混合液Ｂとして流出した後、最終沈殿池２において固液分離され、処理水Ｃと余剰汚泥Ｄに分離される。
処理水Ｃは、殺菌処理などさらなる処理を受けた後に系外に放流され、余剰汚泥Ｄは後段の可溶化槽３において酸可溶化処理を受ける。
【００３９】
可溶化槽３では、塩化ナトリウムＭが添加されるとともに電解処理が行われるが、これによって次亜塩素酸が発生する。なお、可溶化槽３はｐＨが５以下に保たれているため、電解によって発生するのはイオン態ではない次亜塩素酸がほとんどである。
次亜塩素酸は、その強力な酸化力によって、余剰汚泥Ｄ中の微生物を殺菌するとともに、ｐＨが５以下に保たれている効果も合わせて、微生物中のリンを溶解側に放出あるいは溶出させる。
【００４０】
一方、本実施例で示す酸可溶化法は、実施例２で示した酸添加と加熱処理を組み合わせた酸可溶化法と比べると、処理による固液分離性の向上効果は少なく、そのままでは十分な固液分離を図ることは困難である。
そこで、処理施設に流入した廃水Ａによって処理汚泥Ｅを希釈・洗浄することによって沈殿性能を向上させる。すなわち、可溶化槽３から流出した処理汚泥Ｅは後段の混合・分離槽７に流入するが、当該槽７は分離壁８によって２槽に分割されており、その前段部分に廃水Ａおよび処理汚泥Ｅが導入され、混合・希釈される。
これにより、処理汚泥Ｅの溶液側に存在するリン成分が、廃水Ａと混合されるとともに、希釈による固形物濃度の低下がもたらされ、混合・分離槽７の後段における固液分離が容易になる。また、廃水Ａと処理汚泥Ｅの混合によって、処理汚泥Ｅに含まれる不活化された微生物から、沈殿分離を阻害する細胞外ポリマーが洗い取られ、固液分離性を向上させることができる。
【００４１】
混合・分離槽７において分離された固形分は、可溶化汚泥Ｆとして生物反応槽１に返流され、保持された活性汚泥微生物によって分解される。
一方、リンを多量に含む溶液は、上澄水Ｇとして後段のリン沈殿槽５に導かれ、アルカリ剤Ｈが添加されることにより、溶液中のリンが析出し、固液分離を行うことによってリン汚泥Ｊとして系外に排出することができる。なお、リンが除去された溶液については、脱リン廃水Ｉとして生物反応槽１に導かれ、残存しているリンやその他の有機物が、活性汚泥微生物によって分解・除去される。
【００４２】
以上、本発明の有機性廃水の処理方法について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができる。
【産業上の利用可能性】
【００４３】
以上、本発明の有機性廃水の処理方法は、生物反応槽へ返流する固形分や流入廃水のリン分をあらかじめ低減させることができ、脱リン効率を向上させるという特性を有していることから、リンを多く含む有機性廃水の経済的な処理に好適に用いることができる。
【図面の簡単な説明】
【００４４】
【図１】本発明の有機性廃水の処理方法において、酸の添加によるｐＨとリン放出率との関係を示すグラフである。
【図２】本発明の有機性廃水の処理方法において、アルカリの添加によるｐＨとリン回収率との関係を示すグラフである。
【図３】本発明の有機性廃水の処理方法において、流入廃水中の固形物濃度が低い場合に、酸可溶化処理と加熱処理を併用した例を示す処理フロー図である。
【図４】本発明の有機性廃水の処理方法において、流入廃水中の固形物濃度が高い場合に、酸可溶化処理と加熱処理を併用した例を示す処理フロー図である。
【図５】本発明の有機性廃水の処理方法において、流入廃水中の固形物濃度が低い場合に、酸可溶化処理と電解処理を併用した例を示す処理フロー図である。
【符号の説明】
【００４５】
１    生物反応槽
２    最終沈殿池
３    可溶化槽
４    固液分離槽
５    リン沈殿槽
６    最初沈殿池
７    混合・分離槽
８    分離壁
Ａ    廃水
Ｂ    混合液
Ｃ    処理水
Ｄ    余剰汚泥
Ｅ    処理汚泥
Ｆ    可溶化汚泥
Ｇ    上澄水
Ｈ    アルカリ剤
Ｉ    脱リン廃水
Ｊ    リン汚泥
Ｋ    最初沈殿池流出水
Ｌ    最初沈殿池汚泥
Ｍ    塩化ナトリウム
【図１】
2006142256.tif 000003
【図２】
2006142256.tif 000004
【図３】
2006142256.tif 000005
【図４】
2006142256.tif 000006
【図５】
2006142256.tif 000007